【手続補正書】
【提出日】令和2年1月28日(2020.1.28)
【手続補正１】
【補正対象書類名】特許請求の範囲
【補正対象項目名】全文
【補正方法】変更
【補正の内容】
【特許請求の範囲】
【請求項１】
実質的に透明又はクリアな液体を内包するための容器であって、
前記容器は、幅を有し、前記容器の前記幅よりも小さい厚さを有するクリアな第１及び第２側壁を備え、前記第２側壁は、前記第２側壁の外表面及び内表面の両方上でレンズ及び／又はレンズアレイの湾曲面輪郭形状に形成された内表面及び外表面を有し、前記外表面は凸レンズ形状を有し、前記内表面は前記凸レンズ形状に対応する凹レンズ形状を有し、前記凸レンズ形状及び前記凹レンズ形状は、丸みを帯びた又は湾曲したボトル又は容器の形状よりも実質的により連接的であり、前記第１側壁と前記第２側壁の間に配置されたクリアな液体で前記容器が充填されると、前記クリアな液体は、前記凹レンズ形状を有する前記第２側壁の前記内表面に接し、前記第２側壁を通過して前記容器が空であると前記第１側壁上に焦点を合わせられない光線と比較して、前記第２側壁を通過する光線は、前記容器外で前記第２側壁を通して視た時に実質的に前記第１側壁内に配置された焦点面上に焦点を合わせられるようになり、前記液体は、レンズ効果を完結させて前記焦点面の画像上に光線の焦点を合わせる、容器。
【請求項２】
請求項１に記載の容器であって、
前記容器の少なくとも１つの外側面がレンズ又はレンズアレイとして形成され、前記外側面の焦点面が、その対向する平滑な平坦な側面の外側面にあり、前記側面に、その内側に画像を有するラベルが貼り付けられている容器。
【請求項３】
請求項２に記載の容器であって、
２つの容器の側面が互いに貼り付けられ、デュアル容器を形成する容器。
【請求項４】
請求項３に記載の容器であって、
前記側面は、凹部が形成されていて、ラベルを含んでおり、前記ラベルの外側面が、貼り付けを容易にするために前記容器の残りの外側面と同一平面にあり、前記容器は、２つの分離した容器口からアクセス可能な２つの異なる種類のクリアな液体を保持できる容器。
【請求項５】
請求項３に記載の容器であって、
前記容器の一方側まで到達するように凹部部分が延ばされて空洞を画定し、両側に画像を有するラベルが前記空洞内に挿入可能である容器。
【請求項６】
請求項５に記載の容器であって、
前記凹部領域の壁部は、前記挿入されるラベルの平面に焦点が合うようなレンズ形状を有し、前記壁部の対向する外側面は平滑な平面である容器。
【請求項７】
請求項３に記載の容器であって、
前記デュアル容器は、流体が両半分に充填され、前記容器が口を１つのみ備えるように一体としてモールド成形される容器。
【請求項８】
請求項１に記載の容器であって、
前記容器の外側面は、レンズ又はレンズアレイの表面輪郭形状に形成され、前記外側面のレンズ効果は内部に内包されるクリアな流体によって完結し、前記外側面の焦点面は前記流体の容積内に存在する容器。
【請求項９】
請求項８に記載の容器であって、
前記内包されるクリアな液体では溶けないインクで、薄いフレキシブル基板に挿入画像が印刷され、前記挿入画像は、前記容器の口から挿入されると、自ら又は前記容器の側面に形成されるスペーサーのサポートによってレンズ状側面の焦点面に配置される形状となるように、外側に復元することによって開く容器。
【請求項１０】
請求項１に記載の容器であって、
平らな又は湾曲した実質的に平坦な、液体の満たされた容器は、通常の実用的な流体容器としてというよりはむしろ、主として表示レンズ又はレンズアレイとして機能し、前記容器は、その幅及び高さと比較してより薄い容器。
【請求項１１】
請求項１に記載の容器であって、
前記焦点面は、対向する平滑な平坦な側面の外側面に存在する容器。
【請求項１２】
請求項１に記載の容器であって、
前記焦点面が前記容器内に存在する容器。
【請求項１３】
請求項１２に記載の容器であって、
クリアな流体内の前記レンズとなる側面の前記焦点面に画像が挿入され、前記画像が動かされることができるように、前記画像に浮揚装置が設けられる容器。
【請求項１４】
請求項１３に記載の容器であって、
前記画像は、磁気又は可変の浮力手段の少なくとも１つにより動かされ得る容器。
【請求項１５】
実質的に透明又はクリアな液体を内包するための容器であって、
前記容器は、クリアな第１側壁及びクリアな第２側壁を備え、前記第２側壁は、前記第２側壁の外表面及び内表面の両方上でレンズ及び／又はレンズアレイの表面輪郭形状に形成された内表面及び外表面を有し、前記外表面は凸レンズ形状を有し、前記内表面は前記凸レンズ形状に対応する凹レンズ形状を有し、前記凸レンズ形状及び前記凹レンズ形状は、丸みを帯びた又は湾曲したボトル又は容器の形状よりも実質的により連接的であり、前記第１側壁と前記第２側壁の間に配置されたクリアな液体で前記容器が充填されると、前記クリアな液体は、前記凹レンズ形状を有する前記第２側壁の前記内表面に接し、前記第２側壁を通過して前記容器が空であると前記第１側壁上に焦点を合わせられない光線と比較して、前記第２側壁を通過する光線は、前記容器外で前記第２側壁を通して視た時に実質的に前記第１側壁内に配置された焦点面上に焦点を合わせられるようになり、前記レンズ及び／又はレンズアレイの前記液体は、レンズ効果を完結させて前記焦点面の画像上に光線の焦点を合わせ、
前記容器は、前記画像付きラベルを保持するラベル位置領域を前記焦点面で画定する、容器。
【請求項１６】
請求項１５に記載の容器であって、
前記焦点面は、前記第１側壁に対向する第２側壁に配置され、前記ラベル位置領域は、前記第２側壁上に配置される容器。
【請求項１７】
請求項１５に記載の容器であって、
互いに貼り付けられた２つの容器を備える容器。
【請求項１８】
請求項１７に記載の容器であって、
前記２つの容器は、液体連通しない個別の内部液体内包領域を画定し、前記容器は２つの口を有する容器。
【請求項１９】
請求項１７に記載の容器であって、
前記２つの容器は、流体連通する２つの内部流体内包領域を画定し、前記容器は１つの口を有する容器。
【請求項２０】
請求項１７に記載の容器であって、
前記ラベル位置領域は、前記２つの容器の間に位置する容器。
【請求項２１】
請求項２０に記載の容器であって、
前記ラベル位置領域は、両面に画像を有するラベルを保持する容器。
【請求項２２】
請求項１５に記載の容器であって、
前記ラベル位置領域は、クリアな前記第１側壁から広がる前記容器内に位置する容器。
【請求項２３】
請求項１５に記載の容器であって、
前記ラベル位置領域は、前記容器内の凹部領域により画定される容器。
【請求項２４】
請求項２２に記載の容器であって、
前記ラベルは、不溶性インクで印刷される画像を含み、前記ラベルは、前記容器の口から挿入されるように構成されている薄いフレキシブル基板である容器。
【請求項２５】
請求項２４に記載の容器であって、
前記基板は、前記容器の口から挿入されるように折り畳まれ、挿入後に展開して基本的に平坦となり、前記焦点面において分散されている容器。
【請求項２６】
請求項２５に記載の容器であって、
前記容器は、前記焦点面において前記基板を位置づける空間を有する容器。
【請求項２７】
請求項１５に記載の容器であって、
前記レンズは、内包される流体と共に前記容器内に焦点面を画定する容器。
【請求項２８】
請求項１５に記載の容器であって、
前記第１側壁と前記第２側壁の間の距離は、実質的に前記容器の幅及び高さ未満である容器。
【請求項２９】
請求項１５に記載の容器であって、
前記ラベル位置領域は、前記容器外からアクセスされ、前記容器が形成された後にラベルの挿入を可能とする容器。
【請求項３０】
請求項１５に記載の容器であって、
前記レンズは、内包される流体と共に前記第２側壁の外側面に焦点面を画定する容器。
【請求項３１】
請求項１５に記載の容器であって、
前記ラベル位置領域は、前記容器内に位置づけられ、前記容器内で浮かぶラベルを含む容器。
【請求項３２】
請求項３１に記載の容器であって、
前記ラベルは、磁気的特性を有し、外側のマグネットによって前記ラベルを動かし得る容器。
【請求項３３】
請求項３１に記載の容器であって、
前記ラベルの位置を前記ラベル位置領域内で制御する装置を備える容器。